(57)【要約】【課題】  各種ギフトを，出席者に渡すためのギフトシステムを提供することを目的とする。【解決手段】  出席者に対して交付する認証情報を発行する認証情報発行処理部と，発行した認証情報を記憶する認証情報記憶部と，出席者が利用する出席者端末から認証情報を受け付け，認証情報記憶部に基づいて認証処理を行う認証処理部と，ギフトとなる商品の商品情報を記憶する商品情報記憶部と，認証処理が正常に行われた後，出席者に対してギフトとしてレコメンドする商品を特定し，その商品情報を商品情報記憶部から抽出するレコメンド処理部と，レコメンドする商品の商品情報を含む，出席者が商品を選択するための画面を生成する画面生成処理部と，を有するギフトシステムである。【選択図】  図１
2014115872.tif 000002
【特許請求の範囲】
【請求項１】
イベントの出席者に対して商品をギフトとして贈るためのギフトシステムであって，
前記ギフトシステムは，
前記出席者に対して交付する認証情報を発行する認証情報発行処理部と，
前記発行した認証情報を記憶する認証情報記憶部と，
前記出席者が利用する出席者端末から認証情報を受け付け，前記認証情報記憶部に基づいて認証処理を行う認証処理部と，
前記ギフトとなる商品の商品情報を記憶する商品情報記憶部と，
前記認証処理が正常に行われた後，前記出席者に対してギフトとしてレコメンドする商品を特定し，その商品情報を前記商品情報記憶部から抽出するレコメンド処理部と，
前記レコメンドする商品の商品情報を含む，前記出席者が商品を選択するための画面を生成する画面生成処理部と，
を有することを特徴とするギフトシステム。
【請求項２】
前記ギフトシステムは，さらに，
前記ギフトを贈る贈り主が利用する贈り主端末から受け付けた，おすすめ商品の情報を記憶する注文情報記憶部，を有しており，
前記レコメンド処理部は，
前記注文情報記憶部に記憶するおすすめ商品の情報を，前記出席者にレコメンドする商品として特定する，
ことを特徴とする請求項１に記載のギフトシステム。
【請求項３】
前記レコメンド処理部は，
前記認証処理が正常に行われた後，前記出席者端末に対して質問画面を表示させ，それに対する回答の情報を前記出席者端末から受け付け，その回答の情報を用いて前記出席者にレコメンドする商品を特定する，
ことを特徴とする請求項１または請求項２に記載のギフトシステム。
【請求項４】
前記レコメンド処理部は，
前記イベント，贈り主または出席者の属性情報に対応づけられた商品を，前記出席者にレコメンドする商品として特定する，
ことを特徴とする請求項１から請求項３のいずれかに記載のギフトシステム。
【請求項５】
前記商品情報記憶部には，前記商品情報としてその商品の画像情報を記憶しており，
前記レコメンド処理部は，
前記出席者端末から出席者の所望の商品の画像情報を受け付け，前記受け付けた画像情報と合致または類似する画像の商品を，前記商品情報記憶部から検索することで，前記出席者にレコメンドする商品として特定する，
ことを特徴とする請求項１から請求項４のいずれかに記載のギフトシステム。
【請求項６】
前記ギフトシステムは，さらに，
クーポン情報を記憶するクーポン情報記憶部，を有しており，
前記画面生成処理部は，
前記画面を表示する際に，前記クーポン情報記憶部に記憶するクーポン情報を抽出し，前記画面に表示させる，
ことを特徴とする請求項１から請求項５のいずれかに記載のギフトシステム。
【請求項７】
前記画面生成処理部は，
前記出席者の属性情報に対応するクーポン情報を抽出し，前記画面に表示させる，
ことを特徴とする請求項６に記載のギフトシステム。
【請求項８】
前記画面生成処理部は，
前記出席者端末から選択を受け付けた商品または受け付けた検索条件に基づいて，抽出するクーポン情報を特定し，そのクーポン情報を前記クーポン情報記憶部から抽出し，前記画面に表示させる，
ことを特徴とする請求項６または請求項７のいずれかに記載のギフトシステム。
【発明の詳細な説明】
【技術分野】
【０００１】
本発明は，各種ギフトを，その出席者に渡すためのギフトシステムに関する。
【背景技術】
【０００２】
結婚式などのイベントでは主催者などから出席者に感謝の意を表すため，引出物などのギフトを贈ることがある。従来は，贈り主が選んだ商品を出席者に渡していたが，近年では，出席者が所望する商品を入手できるよう，カタログを配布し，そのカタログの中から所望の商品を選ぶ，いわゆるカタログギフトも広く行われている。
【０００３】
しかしカタログギフトは印刷された紙媒体であるため，掲載商品数に物理的な限界がある。掲載商品数を多くしようとする場合には，カタログギフトが厚くならざるを得ず，重さが重くなり，出席者の負担となる。また掲載商品数が増えることで，欲しい商品を選ぶことが容易ではなくなってしまう。そしてカタログギフトの場合，掲載商品が更新される頻度も低くならざるを得ない。さらにカタログギフトは，商品を選ぶ際にしか使用されず，選んだあとは不要となるため，環境の観点からは好ましいとはいえない。
【０００４】
そこで，たとえば下記特許文献１および特許文献２，非特許文献１および非特許文献２に記載のように，インターネット上のウェブサイトで，カタログに相当する商品情報を掲載し，出席者はそこから商品を選択する方法も行われている。
【先行技術文献】
【特許文献】
【０００５】
【特許文献１】特開２００２−１０９３２６号公報
【特許文献２】特開２００３−２７１７５６号公報
【非特許文献】
【０００６】
【非特許文献１】株式会社ハーモニック，”ハーモニック商品お申し込みサイト”，インターネット＜ＵＲＬ：https://order.harmonick.co.jp/login.aspx＞
【非特許文献２】リンベル株式会社，”リンベルカタログギフトＷｅｂ受付”，インターネット＜ＵＲＬ：http://www.catalog-gift.net/＞
【発明の概要】
【発明が解決しようとする課題】
【０００７】
上述の特許文献，非特許文献に記載の，ウェブサイトでカタログギフトを提供するシステムの場合，イベントの会場で出席者に対して，ＩＤ，パスワード，ＵＲＬなどが印刷されたカードなどを交付し，出席者は，それに基づいてウェブサイトにログインをする。そしてログイン後，ウェブサイトに掲載された電子的なカタログギフトを閲覧し，所望の商品を選択する。
【０００８】
この場合，物理的制約がなくなるので，掲載商品数を増やすとともにその更新頻度を高めることは可能である。また，どれだけ商品数を増やしたとしても重くならないので，出席者の負担にはならず，検索可能としておけば所望の商品に容易にたどり着くこともできる。
【０００９】
しかしこれらは単に従来の紙媒体のカタログギフトをウェブサイトに置き換えたに過ぎない。そのため，出席者（贈り主）は，事務的にウェブサイトのカタログギフトから商品を選ぶにとどまる。
【課題を解決するための手段】
【００１０】
そこで本発明者は上記課題に鑑み，本発明のギフトシステムを発明した。
【００１１】
第１の発明は，イベントの出席者に対して商品をギフトとして贈るためのギフトシステムであって，前記ギフトシステムは，前記出席者に対して交付する認証情報を発行する認証情報発行処理部と，前記発行した認証情報を記憶する認証情報記憶部と，前記出席者が利用する出席者端末から認証情報を受け付け，前記認証情報記憶部に基づいて認証処理を行う認証処理部と，前記ギフトとなる商品の商品情報を記憶する商品情報記憶部と，前記認証処理が正常に行われた後，前記出席者に対してギフトとしてレコメンドする商品を特定し，その商品情報を前記商品情報記憶部から抽出するレコメンド処理部と，前記レコメンドする商品の商品情報を含む，前記出席者が商品を選択するための画面を生成する画面生成処理部と，を有するギフトシステムである。
【００１２】
本発明のように構成することによって，ギフトの贈り主は出席者に対して，ギフトとして送りたい商品をレコメンドすることができるので，従来のように，出席者が単に所望の商品を選ぶのではなく，贈り主からの意思（レコメンドされた商品）も考慮した上で商品を選ぶことができる。すなわち，贈り主からの意思と，出席者の商品の選択という双方の観点を両立させてギフトである商品を選ぶことができる。なお，本発明において，贈り主が送る「商品」には有体物のほか，役務，金券，体験チケットなどの各種クーポンなども含まれる。
【００１３】
上述の発明において，前記ギフトシステムは，さらに，前記ギフトを贈る贈り主が利用する贈り主端末から受け付けた，おすすめ商品の情報を記憶する注文情報記憶部，を有しており，前記レコメンド処理部は，前記注文情報記憶部に記憶するおすすめ商品の情報を，前記出席者にレコメンドする商品として特定する，ギフトシステムのように構成することができる。
【００１４】
贈り主がギフトとする商品をレコメンドする方法にはいくつかあるが，本発明のように構成することで，贈り主の意思をもっとも容易な方法で伝えることができる。
【００１５】
上述の発明において，前記レコメンド処理部は，前記認証処理が正常に行われた後，前記出席者端末に対して質問画面を表示させ，それに対する回答の情報を前記出席者端末から受け付け，その回答の情報を用いて前記出席者にレコメンドする商品を特定する，ギフトシステムのように構成することができる。
【００１６】
レコメンドする方法を本発明のように構成すると，出席者に適した商品がレコメンドされやすくなる。
【００１７】
上述の発明において，前記レコメンド処理部は，前記イベント，贈り主または出席者の属性情報に対応づけられた商品を，前記出席者にレコメンドする商品として特定する，ギフトシステムのように構成することができる。
【００１８】
レコメンドする方法は本発明のように構成しても良い。このように構成しても，イベント，贈り主，あるいは出席者に関連した商品がレコメンドされやすくなる。
【００１９】
上述の発明において，前記商品情報記憶部には，前記商品情報としてその商品の画像情報を記憶しており，前記レコメンド処理部は，前記出席者端末から出席者の所望の商品の画像情報を受け付け，前記受け付けた画像情報と合致または類似する画像の商品を，前記商品情報記憶部から検索することで，前記出席者にレコメンドする商品として特定する，ギフトシステムのように構成することができる。
【００２０】
出席者が所望の商品の商品名等を知らない場合に，本発明のように構成することで，商品を特定することができる。
【００２１】
上述の発明において，前記ギフトシステムは，さらに，クーポン情報を記憶するクーポン情報記憶部，を有しており，前記画面生成処理部は，前記画面を表示する際に，前記クーポン情報記憶部に記憶するクーポン情報を抽出し，前記画面に表示させる，ギフトシステムのように構成することができる。
【００２２】
イベントで会場を多くの出席者に利用してもらえることから，イベントの会場を運営する会社などは，この機会にイベントの出席者に対してアピールをすることで，次回以降の利用に結びつけたいという要望がある。また，会場の運営会社以外の会社などであっても，出席者に対して上述の要望がある。そこで，本発明のようにクーポン情報を提供することで，出席者に対して次回以降の利便性に繋がるようアピールをすることができる。
【００２３】
上述の発明において，前記画面生成処理部は，前記出席者の属性情報に対応するクーポン情報を抽出し，前記画面に表示させる，ギフトシステムのように構成することができる。
【００２４】
クーポン情報を表示させる場合には，出席者の属性情報に応じて行うと利用の可能性が高まるので好ましい。
【００２５】
上述の発明において，前記画面生成処理部は，前記出席者端末から選択を受け付けた商品または受け付けた検索条件に基づいて，抽出するクーポン情報を特定し，そのクーポン情報を前記クーポン情報記憶部から抽出し，前記画面に表示させる，ギフトシステムのように構成することができる。
【００２６】
本発明のように構成することで，出席者が選んだギフトや検索条件と関連したクーポン情報を提供することが可能となる。出席者が選んだギフトや検索条件の情報は，出席者の欲しているものとの関連性が強い。そこで，これらの情報に基づいてクーポン情報を提供することで，クーポン情報の利用率を高めることが可能となる。
【発明の効果】
【００２７】
本発明のギフトシステムによって，従来のカタログギフト，あるいはそれをウェブサイトに置き換えたに過ぎない従来のギフトシステムとは異なり，出席者が単に所望の商品を選ぶのではなく，贈り主からの意思（レコメンドされた商品）も考慮した上で商品を選ぶことができる。すなわち，贈り主からの意思と，出席者の商品の選択という双方の観点を両立させてギフトである商品を選ぶことができる。
【００２８】
さらに，ギフトとなる商品の提供者が自由に商品を登録することも可能となる。
【図面の簡単な説明】
【００２９】
【図１】本発明のギフトシステムのシステム構成の概念図の一例を模式的に示す図である。
【図２】本発明のギフトシステムを実現するコンピュータのハードウェア構成の一例を模式的に示す図である。
【図３】本発明のギフトシステムにおける贈り主がイベントの開始前に行っておく処理プロセスを模式的に示すフローチャートである。
【図４】本発明のギフトシステムにおける出席者がイベントへの出席後，行われる処理プロセスを模式的に示すフローチャートである。
【図５】会員情報記憶部の一例を模式的に示す図である。
【図６】注文情報記憶部の一例を模式的に示す図である。
【図７】認証情報記憶部の一例を模式的に示す図である。
【図８】商品情報記憶部の一例を模式的に示す図である。
【図９】配送情報記憶部の一例を模式的に示す図である。
【図１０】贈り主に対して表示される画面の一例を模式的に示す図である。
【図１１】会員の属性情報の入力画面の一例を模式的に示す図である。
【図１２】引出物のコースの選択の画面の一例を模式的に示す図である。
【図１３】注文情報の入力画面の一例を模式的に示す図である。
【図１４】注文情報の入力画面の一例を模式的に示す図である。
【図１５】出席者の認証処理を行う画面の一例を模式的に示す図である。
【図１６】出席者が商品の選択を行う画面の一例を模式的に示す図である。
【図１７】本発明のギフトシステムの別のシステム構成の概念図の一例を模式的に示す図である。
【図１８】クーポン情報記憶部の一例を模式的に示す図である。
【図１９】出席者が商品の選択を行う画面の別の一例を模式的に示す図である。
【発明を実施するための形態】
【００３０】
本発明のギフトシステム１のシステム構成の一例の概念図を図１に示す。また本発明のギフトシステム１を実現するコンピュータのハードウェア構成の一例を図２に示す。
【００３１】
ギフトシステム１を実現するコンピュータは，プログラムの演算処理を実行するＣＰＵなどの演算装置７０と，情報を記憶するＲＡＭやハードディスクなどの記憶装置７１と，ディスプレイ（画面）などの表示装置７２と，キーボードやポインティングデバイス（マウスやテンキーなど）などの入力装置７３と，演算装置７０の処理結果や記憶装置７１に記憶する情報をインターネットやＬＡＮなどのネットワークを介して送受信する通信装置７４とを有している。コンピュータ上で実現する各機能（各手段）は，その処理を実行する手段（プログラムやモジュールなど）が演算装置７０に読み込まれることでその処理が実行される。各機能は，記憶装置７１に記憶した情報をその処理において使用する場合には，該当する情報を当該記憶装置７１から読み出し，読み出した情報を適宜，演算装置７０における処理に用いる。また，図２では一台のコンピュータで実現される場合を示したが，複数のコンピュータに，その機能が分散配置されていても良い。なお，コンピュータには，サーバ２やパーソナルコンピュータ，ワークステーションなど各種の情報処理装置が含まれる。
【００３２】
本発明における各手段は，その機能が論理的に区別されているのみであって，物理上あるいは事実上は同一の領域を為していても良い。
【００３３】
贈り主端末３は，贈り主が利用するコンピュータである。贈り主は，そのイベントの出席者に対して引出物などの商品を送る。贈り主は，好ましくはイベントの主催者であると良いが，それに限定されるものではない。
【００３４】
出席者端末４は，イベントに出席した出席者が利用するコンピュータである。
【００３５】
本発明のギフトシステム１はサーバ２などのコンピュータで実現され，会員登録処理部５と会員情報記憶部６と注文情報登録処理部７と注文情報記憶部８と認証情報発行処理部９と認証情報記憶部１０と認証処理部１１と商品情報記憶部１２とレコメンド処理部１３と画面生成処理部１４と商品選択受付処理部１５と配送情報記憶部１６とを有する。
【００３６】
会員登録処理部５は，贈り主を会員として登録するため，贈り主端末３から当該贈り主の属性情報の入力を受け付け，後述する会員情報記憶部６に記憶する。属性情報としては，氏名，住所，電話番号，電子メールアドレス，年齢，性別などがある。また，当該贈り主を会員として識別するための会員識別情報を付与し，属性情報に対応づけて会員情報記憶部６に記憶させる。
【００３７】
会員情報記憶部６は，会員登録処理部５で受け付けた属性情報と，会員登録処理部５で付与した会員識別情報とを対応づけて記憶する。図５に会員情報記憶部６の一例を模式的に示す。
【００３８】
注文情報登録処理部７は，贈り主端末３から，贈り主がイベントで送る商品の注文に関する情報（注文情報）を受け付け，後述する注文情報記憶部８に記憶させる。注文情報としては，会場名，用途，贈り主名，郵便番号，住所，電話番号，会社名，配布日，発行する認証情報の数と，贈り先となる出席者へのメッセージ，おすすめ商品などがある。また，当該注文を識別するための注文識別情報を付与し，注文情報に対応づけて記憶させる。
【００３９】
注文情報記憶部８は，注文情報登録処理部７で受け付けた注文情報を記憶する。図６に注文情報記憶部８の一例を模式的に示す。
【００４０】
認証情報発行処理部９は，注文情報の確定後，所定のタイミングで出席者に対して交付する認証情報を発行する。ここで発行する認証情報は，注文情報登録処理部７で受け付けた注文情報における，発行する認証情報の数だけ発行する。発行した認証情報は，好ましくは，注文識別情報に対応づけて，後述する認証情報記憶部１０に記憶させる。
【００４１】
認証情報記憶部１０は，出席者に対して発行した認証情報を記憶する。発行した認証情報は，注文識別情報に対応づけられており，どの注文情報に基づいて発行した認証情報であるかが識別可能となっている。認証情報としては，以下ではＩＤの場合を説明するが，ＩＤとパスワードであっても良い。また認証情報としてほかの情報を用いても良い。図７に認証情報記憶部１０の一例を模式的に示す。なお，ＩＤに注文識別情報を含むなど，それ自体で注文情報を識別可能な場合には，注文識別情報に対応づけて記憶する必要はない。
【００４２】
認証処理部１１は，イベントの出席者に対して発行した認証情報に基づいて，出席者端末４から認証情報の入力を受け付け，認証情報記憶部１０に記憶する認証情報と照合し，認証処理を実行する。
【００４３】
レコメンド処理部１３は，出席者に対して提供するおすすめ商品を特定し，その情報を後述する商品情報記憶部１２から抽出する。おすすめ商品の情報は，出席者が商品を選択する際に出席者端末４で表示されるウェブサイト（後述する画面生成処理部１４で生成する画面）において，贈り主からのおすすめ商品として表示される。おすすめ商品を抽出する処理には，以下のような方法がある。
【００４４】
第１の方法としては，注文情報登録処理部７の処理において，贈り主が注文情報を登録する際におすすめ商品を登録して注文情報記憶部８に記憶させておき，レコメンド処理部１３が，そのおすすめ商品の情報を後述する商品情報記憶部１２から特定し，抽出する方法である。図６に示すように，おすすめ商品を出席者に共通とする場合には発行した認証情報に共通におすすめ商品を記憶しておけばよい。一方，おすすめ商品を出席者によって変える場合には，発行した認証情報と出席者ごとに定めたおすすめ商品とを対応づけて注文情報記憶部８（あるいは認証情報記憶部１０）に記憶させておき，レコメンド処理部１３が，認証処理部１１で受け付けた認証情報を用いて，そのおすすめ商品の情報を後述する商品情報記憶部１２（あるいは認証情報記憶部１０）から特定し，特定した商品の情報を後述する商品情報記憶部１２から抽出する。
【００４５】
第２の方法としては，認証処理部１１における認証処理後，所定のタイミング，好ましくは認証処理の直後に，レコメンド処理部１３が出席者端末４に対して，趣味嗜好についての質問が含まれた画面を出席者端末４に表示させ，それに対する回答の情報を受け付け，その回答の情報に対応づけられた商品をおすすめ商品として特定し，後述する商品情報記憶部１２から抽出する方法である。なお，受け付けた回答の情報に基づいて当該出席者の属性を分類し，その分類に対応づけられた商品をおすすめ商品として特定し，後述する商品情報記憶部１２から抽出しても良い。
【００４６】
第３の方法としては，会員情報記憶部６や注文情報記憶部８などに記憶したあるいは出席者端末４から受け付けた，イベントの開催日，天気，住所，性別，年齢などイベントや贈り主または出席者の属性情報に基づいて，それに対応づけられた商品をおすすめ商品として特定し，後述する商品情報記憶部１２から抽出する方法である。
【００４７】
第４の方法としては，出席者の所望の商品の画像情報を出席者端末４から受け付け，その画像情報と類似する商品をおすすめ商品として特定し，後述する商品情報記憶部１２から抽出する方法である。出席者端末４から受け付けた画像情報と類似する商品を特定する際には，商品情報記憶部１２に各商品の画像情報を記憶しておき，その画像情報と受け付けた画像情報との画像マッチング処理を実行し，類似すると判定した画像情報の商品を，おすすめ商品として特定する。画像マッチング処理にはさまざまな処理方法があるが，たとえば画像における色，形状等を分析することで，処理をすることができる。
【００４８】
商品情報記憶部１２は，出席者に対してギフトとして送ることができる（出席者が選択可能な）商品に関する情報を記憶する。商品に関する情報としては，商品を識別するための商品識別情報，商品名，その商品のコース（たとえば３０００円コース，５０００円コース，１００００円コースなど），商品の特徴を示す情報，商品の画像情報などがある。図８に商品情報記憶部１２の一例を模式的に示す。
【００４９】
商品情報の登録にあたっては，ギフトシステム１の運営会社が商品情報記憶部１２に記憶させることで，ギフトとなる商品として登録をしても良いし，あるいは商品のメーカーがギフトシステム１の運営会社に対して登録の申請を行い，それを当該運営会社が承認をすることで商品として登録できても良い。すなわち，商品のメーカーのコンピュータから，商品情報記憶部１２に記憶させる商品に関する情報とともに登録の申請の情報を，当該運営会社のコンピュータに対して送り，当該運営会社の担当者がそれを確認して，当該運営会社のコンピュータで承認の情報を受け付けると，受け付けた商品に関する情報を商品情報記憶部１２に記憶させる。
【００５０】
このような処理を行うことで，商品のメーカーなど，商品の提供者が自ら，ギフトとして商品を登録することができる。
【００５１】
画面生成処理部１４は，出席者が商品を選択するための画面を商品情報記憶部１２から商品に関する情報を抽出して生成し，出席者端末４において表示させる。この画面では，上述のレコメンド処理部１３で抽出した，出席者に対してレコメンドする商品と，出席者が選択可能な商品の各情報が表示される。
【００５２】
レコメンドする商品以外の商品の情報は，出席者端末４から受け付けた認証情報に基づいて認証情報記憶部１０を参照し，対応する注文識別情報を抽出する。そしてその注文識別情報に基づいて注文情報記憶部を参照し，対応するコース（価格帯）などの情報を特定する。そしてそのコースの情報に基づいて，当該コースに該当する商品の情報を商品情報記憶部１２から抽出して表示する。
【００５３】
商品選択受付処理部１５は，出席者が選んだ商品と，送付先となる出席者に関する情報を出席者端末４から受け付け，後述する配送情報記憶部１６に記憶させる。出席者に関する情報としては，氏名，住所，電話番号などの配送に必要な情報がある。
【００５４】
配送情報記憶部１６は，商品選択受付処理部１５で受け付けた，出席者が選んだ商品の情報と，配送先となる出席者に関する情報とを記憶する。図９に配送情報記憶部１６の一例を模式的に示す。なお，配送済の情報についてはそれを示すフラグなどが記憶されていると良い。
【実施例１】
【００５５】
次に本発明のギフトシステム１の処理プロセスを図３および図４のフローチャートを用いて説明する。なお，以下の説明ではイベントとして結婚式の披露宴の場合を説明するが，披露宴以外のイベントであっても同様に実施可能である。
【００５６】
まず，本発明のギフトシステム１を利用して，結婚式の披露宴の引出物を送ろうとする贈り主（たとえば新郎新婦）は，ギフトシステム１を利用するために，所定のウェブサイトにアクセスをする。この際に表示される画面の一例が図１０である。
【００５７】
そして「会員登録」を選択することで，図１１に示すように会員の属性情報の入力画面を会員登録処理部５が出席者端末４に表示させる。そして入力された情報を会員登録処理部５が受け付け，会員情報記憶部６に記憶させることで，会員登録を行う（Ｓ１００）。この際に会員登録処理部５は，当該会員を識別するための会員識別情報を付与し，対応づけて記憶させる。
【００５８】
このように会員登録完了後，注文情報登録処理部７は，図１２に示す画面を贈り主端末３に表示させ，出席者に渡す引出物のコースの選択を注文情報登録処理部７は受け付ける（Ｓ１１０）。このようにしてコースの選択を受け付けると，注文情報登録処理部７は，図１３および図１４に示す画面を贈り主端末３に表示させ，披露宴の引出物を注文するために必要な注文情報，たとえば会場名，用途（披露宴，パーティなど），贈り主名，贈り主の属性情報（郵便番号，住所，電話番号，会社名など），会場への配送日，認証情報を配布した出席者から注文があった場合に贈り主に電子メールでの通知をするか否か，価格帯と発行する認証情報の数，出席者へのメッセージ，出席者へのおすすめ商品などの情報の登録を受け付ける（Ｓ１２０）。注文情報登録処理部７は，受け付けた注文情報を注文情報記憶部８に記憶させる。
【００５９】
以上のようにして贈り主が注文情報を登録すると，所定のタイミングで，認証情報発行処理部９が注文情報記憶部８を参照し，まだ各注文情報における認証情報の発行を行っていないものについて，認証情報を発行する（Ｓ１３０）。具体的にはＩＤを発行数だけ割り当て，それを注文識別情報に対応づけて認証情報記憶部１０に記憶させる。そして発行した認証情報を，贈り主が出席者に渡すためのカードなどの所定の紙媒体に印刷装置（図示せず）で印刷する。この場合，アクセス先となるＵＲＬ（アクセス先情報）やメッセージをあわせて印刷すると良い。ここで印刷したカードなどは，注文情報に基づいて，披露宴の前までにギフトシステム１の運営者から会場まで郵送される。
【００６０】
なお，発行した認証情報を紙媒体に印刷するほか，発行した認証情報を贈り主に電子メールなどで送り，贈り主が印刷装置（図示せず）で印刷可能としても良い。この場合には贈り主自らが会場まで事前に郵送しておくほか，当日，贈り主が出席者に直接，渡しても良い。
【００６１】
以上のようにして認証情報が印刷されたカードなどを，出席者は披露宴で取得する（Ｓ１４０）。以上のようにして，発行した認証情報が出席者に伝えられる。
【００６２】
つぎに出席者が認証情報を取得したあとの処理を説明する。出席者は披露宴終了後，たとえば自宅に帰ってから，自分のコンピュータ（出席者端末４）でカードに印刷されたＵＲＬにアクセスする。このアクセスを受け付けた認証処理部１１は，図１５に示す画面を表示させる。なお，披露宴中に，出席者が自らのスマートフォンなどを操作することで上記処理を行っても良い。
【００６３】
図１５では，「ＩＤを入力して下さい」と表示されている入力欄に，出席者は，カードに記載されたＩＤを入力する。この操作によって，出席者端末４からＩＤがサーバ２に送られる。
【００６４】
サーバ２の認証処理部１１は入力されたＩＤを受け付け，それが認証情報記憶部１０に記憶されているかを判定する（Ｓ２００）。認証処理部１１は，正常にＩＤが判定できない場合には，エラーの通知を出席者端末４に表示させる。一方，正常にＩＤが判定できた場合には，レコメンド処理部１３におけるレコメンド商品の抽出処理を実行する（Ｓ２１０）。
【００６５】
レコメンド処理部１３は上述の第１の方法ないし第４の方法のいずれかまたはそれらを複数組み合わせ，あるいはほかの方法によって，当該出席者に対して表示させるレコメンド商品を商品情報記憶部１２から抽出する。そして，画面生成処理部１４は，認証情報記憶部１０においてＩＤが対応づけられた注文識別情報を特定し，それに基づいて，贈り主からのメッセージの情報などを抽出し，それらを，抽出したレコメンド商品の情報とともに，図１６に示す画面を出席者端末４に表示させる（Ｓ２２０）。
【００６６】
図１６の画面では，贈り主からのメッセージ，贈り主のおすすめ商品，新着商品が画面右側に表示され，それ以外の商品は画面左側から「商品検索」，あるいは「カテゴリ」から選択可能である。たとえば「商品検索」から所望の商品を検索する場合には，そのキーワードに該当する商品が画面の右側に一覧表示される。また，「カテゴリ」から検索する場合には，該当するカテゴリを選択することで，そのカテゴリに属する商品が画面の右側に一覧表示される。
【００６７】
このようにして図１６のような画面から，出席者は所望の商品を選択することで，選択した商品の情報が出席者端末４からサーバ２に送られ，それを商品選択受付処理部１５で受け付ける（Ｓ２３０）。すなわち，商品選択受付処理部１５は，出席者が選んだ商品，送付先となる出席者に関する情報を出席者端末４から受け付け，それを配送情報記憶部１６に記憶させる。
【００６８】
そして配送情報記憶部１６に記憶された情報を所定の担当者が閲覧することで，当該商品を実際に倉庫等から取り出し，当該出席者に配送する手続を取る。これによって，商品が出席者のもとに配送され，出席者は所望の商品を受領することができる。
【００６９】
また，本発明のギフトシステム１によって，贈り主から出席者へのメッセージや，おすすめ商品の情報が提供できる。そのため，従来のカタログギフトや従来のギフトシステムとは異なり，出席者が単に所望の商品を選ぶのではなく，贈り主からの意思と，出席者の商品の選択という双方の観点を両立させてギフトである商品を選ぶことができる。
【実施例２】
【００７０】
次に，上述のギフトシステム１の別の実施例を説明する。本実施例では，さらに，出席者に対して，イベント会場からクーポンなどを提供可能とするものである。この場合のシステム構成の一例を，図１７に模式的に示す。
【００７１】
本実施例では，図１６のように，出席者に対して表示させる画面に，イベント会場などの，出席者に対してサービスを提供する提供者からのクーポン情報を表示する。これは，イベントのために来場してもらった出席者とのつながりを維持し，潜在的顧客とすることを目的としている。提供者としては，イベント会場（披露宴会場など）の運営会社，イベントの運営会社，商品の提供会社などがあるが，出席者と何らかの関係性が発生する組織体であれば如何なるものでも良い。
【００７２】
本実施例のギフトシステム１では，図１の構成に加え，さらにクーポン情報登録処理部１７と，クーポン情報記憶部１８とを有している。またギフトシステム１は，提供者が利用する提供者端末１９と情報の送受信が可能である。
【００７３】
クーポン情報登録処理部１７は，提供者端末１９からのクーポン情報の登録要求を受け付け，後述するクーポン情報記憶部１８に記憶させる。クーポン情報としては，提供者の識別情報，クーポン情報の識別情報，クーポンの内容，どのような属性の出席者にクーポンを表示させるかの条件などが記憶されている。
【００７４】
クーポン情報記憶部１８には，クーポン情報を記憶する。図１８にクーポン情報記憶部１８の一例を模式的に示す。
【００７５】
画面生成処理部１４は，認証処理部１１における認証処理の終了後に出席者端末４に対して表示させる画面を生成する際に，レコメンド処理部１３におけるレコメンド処理に加え，当該出席者の属性情報，イベントの情報などに基づいて，クーポン情報記憶部１８に記憶するクーポン情報のうちクーポンの表示条件と合致するクーポン情報を抽出し，その画面に表示させる。この場合に表示される画面の一例が図１９である。図１９の場合，イベント会場に対応づけたクーポン情報が表示される場合であって，イベント会場での「ディナー５％割引」のクーポン情報が表示されている場合を示している。このリンクを出席者端末４で選択することで，クーポン情報の画面が印刷され，その画面をイベント会場で見せる，あるいはそれを印刷して見せることでそのクーポン情報に記載されたサービスを享受することができる。
【００７６】
なお，クーポン情報の表示は，図１９に示すように１つでも良いし，複数でも良い。また一定の時間間隔（たとえば１５秒ごと）に表示されるクーポン情報が切り替わっても良い。
【００７７】
画面生成処理部１４が出席者端末４に対してクーポン情報を選択する処理を行うのは，上述のように商品選択を受け付ける画面であっても良いし，商品選択を受け付けた後の画面であっても良い。その場合，出席者端末４から受け付けた商品の情報（出席者が選んだ商品）に基づいて，クーポン情報を選択，抽出しても良い。すなわち，特定の商品が選ばれたことを条件としてクーポン情報が選択されても良い。
【００７８】
なお，出席者が商品を選んだ場合のほか，商品を検索した場合に，その検索条件に合致するクーポン情報を選択，抽出しても良い。
【００７９】
出席者がクーポンの利用を行う場合には，クーポン情報を出席者が印刷してその紙を，あるいはクーポン情報が表示された画面を，それを提供者に見せることで，利用が可能となる。また，提供者に対して，認証情報と出席者自らの氏名を告げることでも良い。さらに，提供者がウェブサイトなどでクーポンの利用を可能としている場合には，認証情報と出席者自らの氏名を入力し，それを受け付けた提供者のウェブサイトのサーバが，ギフトシステム１の認証情報記憶部１０などを参照することで本人確認をし，クーポンの利用が可能となっても良い。
【産業上の利用可能性】
【００８０】
本発明のギフトシステム１によって，従来のカタログギフト，あるいはそれをウェブサイトに置き換えたに過ぎない従来のギフトシステム１とは異なり，出席者が単に所望の商品を選ぶのではなく，贈り主からの意思（レコメンドされた商品）も考慮した上で商品を選ぶことができる。すなわち，贈り主からの意思と，出席者の商品の選択という双方の観点を両立させてギフトである商品を選ぶことができる。さらに，ギフトとなる商品の提供者が自由に商品を登録することも可能となる。
【符号の説明】
【００８１】
１：ギフトシステム
２：サーバ
３：贈り主端末
４：出席者端末
５：会員登録処理部
６：会員情報記憶部
７：注文情報登録処理部
８：注文情報記憶部
９：認証情報発行処理部
１０：認証情報記憶部
１１：認証処理部
１２：商品情報記憶部
１３：レコメンド処理部
１４：画面生成処理部
１５：商品選択受付処理部
１６：配送情報記憶部
１７：クーポン情報登録処理部
１８：クーポン情報記憶部
１９：提供者端末
７０：演算装置
７１：記憶装置
７２：表示装置
７３：入力装置
７４：通信装置
【図１】
2014115872.tif 000003
【図２】
2014115872.tif 000004
【図３】
2014115872.tif 000005
【図４】
2014115872.tif 000006
【図５】
2014115872.tif 000007
【図６】
2014115872.tif 000008
【図７】
2014115872.tif 000009
【図８】
2014115872.tif 000010
【図９】
2014115872.tif 000011
【図１０】
2014115872.tif 000012
【図１１】
2014115872.tif 000013
【図１２】
2014115872.tif 000014
【図１３】
2014115872.tif 000015
【図１４】
2014115872.tif 000016
【図１５】
2014115872.tif 000017
【図１６】
2014115872.tif 000018
【図１７】
2014115872.tif 000019
【図１８】
2014115872.tif 000020
【図１９】
2014115872.tif 000021